(57)【要約】【課題】組み付け作業時の作業性を向上させるとともに、隅部における隙間や不要な出っ張りが生じない角パイプの構造体を提供する。【解決手段】中空状で且つ断面が矩形状の角パイプを複数組み付けて得られる角パイプの構造体において、組み付け時に略水平に載置された状態で少なくとも端部にて上方に開口した被組付部２ａを有した被組付側角パイプ２と、該被組付用角パイプ２の上方から組み付けられ、端部に被組付部２ａと嵌合する組付部３ａを有した組付側角パイプ３と、該組付側角パイプ３の端部に形成され、組付部３ａを被組付部２ａに嵌合させた状態で被組付側角パイプ２の端面を覆う延長部３ａｃとを具備し、被組付側角パイプ２と組付側角パイプ３とが略平面状に組み付けられて成るものである。【選択図】図７
2008039189.tif 000002
【特許請求の範囲】
【請求項１】
中空状で且つ断面が矩形状の角パイプを複数組み付けて得られる角パイプの構造体において、
組み付け時に略水平に載置された状態で少なくとも端部にて上方に開口した被組付部を有した被組付側角パイプと、
該被組付用角パイプの上方から組み付けられ、端部に前記被組付部と嵌合する組付部を有した組付側角パイプと、
該組付側角パイプの端部に形成され、前記組付部を前記被組付部に嵌合させた状態で前記被組付側角パイプの端面を覆う延長部と、
を具備し、前記被組付側角パイプと組付側角パイプとが略平面状に組み付けられて成ることを特徴とする角パイプの構造体。
【請求項２】
前記被組付側角パイプの端部に形成され、前記組付側角パイプの肉厚分の寸法で長手方向に突出した突出部と、
前記組付側角パイプの前記突出部と対応する位置に形成され、前記突出部を嵌入させ得るスリットと、
を有したことを特徴とする請求項１記載の角パイプの構造体。
【請求項３】
前記スリットに面取りが施されていることを特徴とする請求項２記載の角パイプの構造体。
【発明の詳細な説明】
【技術分野】
【０００１】
本発明は、中空状で且つ断面が矩形状の角パイプを複数組み付けて得られる角パイプの構造体に関し、特に、被組付側角パイプと組付側角パイプとが略平面状に組み付けられて成ることを特徴とする角パイプの構造体に関するものである。
【背景技術】
【０００２】
複数の角パイプを略平面状に組み付けて得られる角パイプの構造体は、例えば特許文献１にて開示されているように、組み付けられる角パイプの双方にスリットなどの切欠きを形成しておき、一方の角パイプに形成された切欠きと他方の角パイプに形成された切欠きとを嵌合させることにより得られていた。かかる構造体によれば、角パイプを組み付けた際、切欠き同士を嵌合させることにより、構造体を平面状とすることができるとともに、溶接等による固着作業前に互いの角パイプが位置ずれしてしまうのを回避することができる。
【特許文献１】特開２００６−１７１３９５号公報
【発明の開示】
【発明が解決しようとする課題】
【０００３】
しかしながら、上記従来の角パイプの構造体においては、一方の角パイプの端部に他方の角パイプの端部を組み付けようとした場合、以下の如き問題があった。即ち、一方又は他方の角パイプの端面が外部に臨んでしまうと、得られた構造体の隅部に隙間が生じてしまうという不具合があり、特に角パイプにおける端面から見た角部にＲ形状が形成されている場合もあることから、一方の角パイプを他方の角パイプに組み付けた際、当該Ｒ形状が外部に臨んでしまい、得られた構造体の隅部に間隙が生じてしまうという不具合がある。
【０００４】
本発明は、このような事情に鑑みてなされたもので、組み付け作業時の作業性を向上させるとともに、隅部における隙間や不要な出っ張りが生じない角パイプの構造体を提供することを目的としている。
【課題を解決するための手段】
【０００５】
係る目的を達成すべく、本発明のうち請求項１に記載の発明は、中空状で且つ断面が矩形状の角パイプを複数組み付けて得られる角パイプの構造体において、組み付け時に略水平に載置された状態で少なくとも端部にて上方に開口した被組付部を有した被組付側角パイプと、該被組付用角パイプの上方から組み付けられ、端部に前記被組付部と嵌合する組付部を有した組付側角パイプと、該組付側角パイプの端部に形成され、前記組付部を前記被組付部に嵌合させた状態で前記被組付側角パイプの端面を覆う延長部とを具備し、前記被組付側角パイプと組付側角パイプとが略平面状に組み付けられて成ることを特徴とする。
【０００６】
請求項２に記載の発明は、請求項１記載の角パイプの構造体において、前記被組付側角パイプの端部に形成され、前記組付側角パイプの肉厚分の寸法で長手方向に突出した突出部と、前記組付側角パイプの前記突出部と対応する位置に形成され、前記突出部を嵌入させ得るスリットとを有したことを特徴とする。
【０００７】
請求項３に記載の発明は、請求項２記載の角パイプの構造体において、前記スリットに面取りが施されていることを特徴とする。
【発明の効果】
【０００８】
請求項１の発明によれば、略水平に載置された被組付側角パイプの上方から組付側角パイプを組み付けて構造体を得ることができるので、組み付け作業時の作業性を向上させることができる。また、被組付側角パイプの被組付部に対し組付側角パイプの組付部を嵌合させた際、当該組付側角パイプの端部に形成された延長部により被組付側角パイプの端面（Ｒ形状が形成されている場合は当該Ｒ形状を含む）が覆われるため、端面が外部に臨むことによって構造体の隅部に隙間が生じてしまうのを回避し、且つ、不要な出っ張りを回避することができる。
【０００９】
請求項２の発明によれば、被組付部に組付部を嵌合させて被組付側角パイプに組付側角パイプを組み付ける際、スリットが突出部を嵌入させるので、不要な出っ張りを更に回避することができる。
【００１０】
請求項３の発明によれば、スリットに面取りが施されているので、突出部に対してスリットをより嵌入させ易くすることができ、構造体の組付作業時の作業性を更に向上させることができる。
【発明を実施するための最良の形態】
【００１１】
本発明の実施の形態に係る角パイプの構造体は、種々製品や部品等のワークを載置するためのパレットとして用いられるもので、図１に示すように、一対の被組付側角パイプ２と、一対の組付側角パイプ３と、第１中間角パイプ４と、第２中間角パイプ５とを組み付けて構成され、全体として略平面状の格子形状に形成（図２参照）されたものである。尚、各角パイプの上面がパレットとしてワークを載置する載置面を構成する。
【００１２】
各角パイプ（被組付側角パイプ２、組付側角パイプ３、第１中間角パイプ４及び第２中間角パイプ５）は、金属板を断面ロ字状に折り曲げ加工した後、その合わせ面を例えばシーム溶接等で固着させたものから成り、中空状で且つ断面が矩形状とされている。然るに、組み付けられる角パイプの肉厚を寸法ｔとする。
【００１３】
被組付側角パイプ２は、図８に示すように、組み付け時に略水平に載置された状態で端部（両端部）にて上方に開口した被組付部２ａを有したものである。かかる被組付部２ａは、図３に示すように、幅が角パイプの肉厚寸法ｔと略同一寸法とされたスリット２ａａと、寸法Ｋだけ長手方向に突出した突出部２ａｂと、凹部２ａｃとを有している。尚、寸法Ｋは、組付側角パイプ３の肉厚寸法ｔと略同一とされるとともに、当該寸法Ｋと寸法Ｎとは略同一とされている。
【００１４】
組付側角パイプ３は、図８に示すように、被組付側角パイプ２の上方から組み付けられ、端部（両端部）に被組付部２ａと嵌合する組付部３ａを有したものである。かかる組付部３ａは、図５に示すように、幅が角パイプの肉厚と略同一寸法とされたスリット３ａａ及びスリット３ａｂと、寸法Ｆだけ長手方向に突出した延長部３ａｃとを有している。尚、寸法Ｆは、被組付側角パイプ２の肉厚寸法ｔの２倍（２×ｔ）とされているとともに、スリット３ａａは、突出部２ａｂと対応する位置に形成されている。
【００１５】
被組付側角パイプ２の端部（図４参照）及び組付側角パイプ３の端部（図６参照）は、以下の如き関係式に基づき設定されている。尚、ｃは所定のクリアランス寸法、αはレーザーコーナーＲ加工精度を示している。
Ｉ＝ｙ−（（ｔ＋ｃ）／２）
Ｊ＝（ｘ＋ｃ）／２
Ｋ＝Ｅ
Ｌ＝Ｅ
Ｍ＝ｘ−Ｅ
Ｎ＝Ｅ
Ａ＝ｙ／２＋α
Ｂ＝ｘ−Ｆ
Ｃ＝ｙ−Ｅ
Ｄ＝ｘ＋（ｃ／２）
Ｅ＝ｔ＋ｃ
Ｆ＝２Ｅ
Ｇ＝ｘ−Ｅ
【００１６】
そして、スリット３ａｂをスリット２ａａに挿通させつつ、スリット３ａａを突出部３ａｃに嵌入させることにより、被組付部２ａと組付部３ａとが嵌合し、図９に示すように、被組付側角パイプ２及び組付側角パイプ３から成る枠体が形成されることとなる。この枠体における被組付部２ａと組付部３ａとの嵌合部位（枠体の隅部）においては、図７に示すように、突出部２ａｂの端面と組付側角パイプ３の側面とが略面一となっているとともに、延長部３ａｃが被組付側角パイプ２の端面（両端面）を覆うとともに、当該端面における角部のＲ形状（図３の符号Ｈで示す部位）をも覆うようになっている。尚、突出部２ａｂの端面と被組付側角パイプ２の側面とも略面一となっている。
【００１７】
ところで、図１０及び図１１に示すように、被組付側角パイプ２の略中央には、上方に開口して第２中間角パイプ５の端部（両端部）を組み付け可能な中間被組付部２ｂが形成されるとともに、組付側角パイプ３の略中央には、上方に開口して第１中間角パイプ４の端部（両端部）を組み付け可能な中間被組付部３ｂが形成されている。一方、第１中間角パイプ４及び第２中間角パイプ５は、その両端部に、中間被組付部２ｂ、３ｂと嵌合して組み付け可能な切欠き４ａ、５ａが形成されている。また、第１中間角パイプ４の中央には、第２中間角パイプ５の略中央に形成された切欠き５ｂと嵌合し得る被組付部４ｂが形成されている。
【００１８】
しかして、図１０に示すように、枠体を構成する組付側角パイプ３の中間被組付部３ｂに対し、第１中間角パイプ４の両端部における切欠き４ａを嵌合させて組み付けた後、図１１に示すように、中間被組付部２ｂ及び被組付部４ｂに対し、第２中間角パイプ５のスリット５ａ及び５ｂを嵌合して組み付ければ、図１及び図２に示す如き角パイプの構造体１を得ることができる。
【００１９】
上記実施形態によれば、略水平に載置された被組付側角パイプ２の上方から組付側角パイプ３を組み付けて構造体１を得ることができるので、組み付け作業時の作業性を向上させることができる。また、被組付側角パイプ２の被組付部２ａに対し組付側角パイプ３の組付部３ａを嵌合させた際、当該組付側角パイプ３の端部に形成された延長部３ａｃにより被組付側角パイプ２の端面（Ｒ形状Ｈを含む）が覆われるため、当該端面が外部に臨むことによって構造体１の隅部に隙間が生じてしまうのを回避し、且つ、不要な出っ張りを回避することができる。尚、各角パイプの端面においてＲ形状が形成されていないもの（直角に角部が形成されたもの）においても、その端面を延長部３ａｃにて覆うことができる。
【００２０】
更に、被組付部２ａに組付部３ａを嵌合させて被組付側角パイプ２に組付側角パイプ３を組み付ける際、スリット３ａａが突出部２ａｂを嵌入させ、突出部２ａｂの端面と組付側角パイプ３の側面とが略面一となるよう構成されているので、不要な出っ張りを更に回避することができる。また更に、上述の如く各角パイプを組み付けた状態の構造体は、溶接箇所が少なくても上方からの荷重に十分耐え得ることから、溶接時の熱による悪影響（角パイプの膨張等）を抑制することができる。
【００２１】
然るに、組付側角パイプ３におけるスリット３ａａには、図１２に示すように、その開口端縁において面取り３ｃが施されている。かかる面取り３ｃによれば、突出部２ａｂに対してスリット３ａａをより嵌入させ易くすることができ、構造体１の組付作業時の作業性を更に向上させることができる。尚、上記の如き面取りは、他のスリットにも形成してあり、組み付け作業をよりスムーズに行わせている。
【００２２】
以上、本実施形態について説明したが、本発明はこれに限定されるものではなく、パレット以外の構造体として適用するものであってもよい。例えば上記の如き平面状の構造体の下面に角パイプ等から成る脚部を組み付け、椅子等として用いられるものとしてもよい。また、本実施形態においては、略正方形の中央に十字状に梁を形成して格子状のものとしているが、例えば平面視長方形の枠体のもの等としてもよい。更に、本実施形態においては、組み付けられる角パイプ全てがその断面寸法を同一のものとしているが、断面寸法（特に幅寸法）が互いに異なるものを組み付けて構造体を得るようにしてもよい。
【産業上の利用可能性】
【００２３】
組付側角パイプの端部に形成されて組付部を被組付部に嵌合させた状態で被組付側角パイプの端面を覆う延長部を具備し、被組付側角パイプと組付側角パイプとが略平面状に組み付けられて成る角パイプの構造体であれば、外観形状が異なるもの或いは他の機能及び構造等が付加されたもの等にも適用することができる。
【図面の簡単な説明】
【００２４】
【図１】本発明の実施形態に係る構造体を示す全体斜視図
【図２】（ａ）同構造体の平面図（ｂ）同構造体の正面図
【図３】同構造体における被組付側角パイプの端部に形成された被組付部を示す拡大斜視図
【図４】同構造体における被組付側角パイプの端部の寸法を示す４面図
【図５】同構造体における組付側角パイプの端部に形成された組付部を示す拡大斜視図
【図６】同構造体における組付側角パイプの端部の寸法を示す４面図
【図７】同構造体における被組付部に組付部を嵌合させた状態を示す拡大斜視図
【図８】同構造体における被組付側角パイプ及び組付側角パイプを示す斜視図
【図９】同構造体における被組付側角パイプに組付側角パイプを組み付けて枠体とした状態を示す斜視図
【図１０】同構造体における枠体及び第１中間角パイプを示す斜視図
【図１１】同構造体における第１中間角パイプが組み付けられた枠体及び第２中間角パイプを示す斜視図
【図１２】同構造体における組付側角パイプの端部を示す拡大側面図
【符号の説明】
【００２５】
１    構造体
２    被組付側角パイプ
２ａ  被組付部
２ａａ  スリット
２ａｂ  突出部
３    組付側角パイプ
３ａ  組付部
３ａａ  スリット
３ａｂ  スリット
３ａｃ  延長部
３ｃ    面取り
４    第１中間角パイプ
５    第２中間角パイプ
Ｈ    Ｒ形状
【図１】
2008039189.tif 000003
【図２】
2008039189.tif 000004
【図３】
2008039189.tif 000005
【図４】
2008039189.tif 000006
【図５】
2008039189.tif 000007
【図６】
2008039189.tif 000008
【図７】
2008039189.tif 000009
【図８】
2008039189.tif 000010
【図９】
2008039189.tif 000011
【図１０】
2008039189.tif 000012
【図１１】
2008039189.tif 000013
【図１２】
2008039189.tif 000014